(57)【要約】【課題】階層的な従属関係があるような、事業価値に関係するパラメータのうち、階層の途中に存在するパラメータを変化させた際の、他のパラメータへの影響をユーザが把握しやすい形で提示し、事業価値を評価することをサポートする。【解決手段】事業価値評価装置は、パラメータ情報テーブルを参照し、変化対象パラメータに影響を与えるパラメータのうち、変化対象パラメータから一意に値が定まらないパラメータを抽出し、画面上にそのパラメータをハイライト表示する。そして、ユーザから入力装置により、パラメータの制約条件を入力されたときに、入力された制約条件に従って、変化対象パラメータから一意に値が定まらないパラメータの値を算出する。【選択図】  図９
2019096034.tif 000002
【特許請求の範囲】
【請求項１】
事業価値に関連するパラメータ間の関係を算出する事業価値評価装置であって、
パラメータ間の関係とパラメータ値を記憶するパラメータ情報テーブルを保持し、
パラメータの制約条件を入力する手段と、
値を変化させる対象のパラメータを変化対象パラメータとして設定する手段と、
前記パラメータ情報テーブルを参照し、前記変化対象パラメータに影響を与えるパラメータのうち、前記変化対象パラメータから一意に値が定まらないパラメータを抽出する手段と、
前記パラメータの制約条件を入力する手段により、パラメータの制約条件を入力されたときに、入力された制約条件に従って、前記変化対象パラメータから一意に値が定まらないパラメータの値を算出する手段とを有することを特徴とする事業価値評価装置。
【請求項２】
さらに、パラメータに関する情報を表示する手段を有し、
前記パラメータに関する情報を表示する手段に、パラメータ間の従属関係を、パラメータをノード、従属関係をエッジとするようなグラフとして表示することを特徴とする請求項１記載の事業価値評価装置。
【請求項３】
前記パラメータをノード、従属関係をエッジとするようなグラフを表示する際に、前記変化対象として選択されたパラメータに影響を与えるパラメータのうち、前記変化対象として選択されたパラメータの値から一意に値が決まらないパラメータを強調表示することを特徴とする請求項２記載の事業価値評価装置。
【請求項４】
前記変化対象として選択されたパラメータの値から一意に値が決まらないパラメータについて、そのパラメータに関する制約条件が入力され、再計算の結果、前記変化対象として選択されたパラメータの値から一意に値が決まるようになったときに、そのパラメータの強調表示をやめて表示することを特徴とする請求項３記載の事業価値評価装置。
【請求項５】
さらに、分析対象となる分析パラメータを設定する手段と、
設定された分析パラメータに影響を与えるパラメータと、前記変化対象パラメータの値から一意に値が決まらないような、変化対象パラメータに影響を与えるパラメータとに重複があるときに、その重複するパラメータを抽出する手段と、
パラメータの制約条件が入力されたときに、入力された制約条件に従って、前記変化対象パラメータから前記重複するパラメータの値を算出する手段とを有することを特徴とする請求項１記載の事業価値評価装置。
【請求項６】
前記重複するパラメータを評価する重みを算出し、
前記制約条件は、前記重複するパラメータを評価する重みに関する情報を含むことを特徴する請求項５記載の事業価値評価装置。
【請求項７】
事業価値評価装置が事業価値に関連するパラメータ間の関係を算出する事業価値評価方法であって、
パラメータ間の関係とパラメータ値を記憶するパラメータ情報テーブルを保持するステップと、
パラメータの制約条件を入力するステップと、
値を変化させる対象のパラメータを変化対象パラメータとして設定するステップと、
前記パラメータ情報テーブルを参照し、前記変化対象パラメータに影響を与えるパラメータのうち、前記変化対象パラメータから一意に値が定まらないパラメータを抽出するステップと、
パラメータの制約条件を入力する手段により、パラメータの制約条件が入力されたときに、入力された制約条件に従って、前記変化対象パラメータから一意に値が定まらないパラメータの値を算出するステップと、
パラメータ間の従属関係を、パラメータをノード、従属関係をエッジとするようなグラフとして表示するステップと、
前記パラメータをノード、従属関係をエッジとするようなグラフを表示する際に、前記変化対象として選択されたパラメータに影響を与えるパラメータのうち、前記変化対象として選択されたパラメータの値から一意に値が決まらないパラメータを強調表示するステップとを有することを特徴とする事業価値評価方法。
【請求項８】
さらに、分析対象となる分析パラメータを設定するステップと、
設定された分析パラメータに影響を与えるパラメータと、前記変化対象パラメータの値から一意に値が決まらないような、変化対象パラメータに影響を与えるパラメータとに重複があるときに、その重複するパラメータを抽出するステップと、
前記パラメータの制約条件を入力されたときに、入力された制約条件に従って、前記変化対象パラメータから前記重複するパラメータの値を算出するステップと、
前記重複するパラメータを評価する重みを算出するステップとを有し、
前記制約条件は、前記重複するパラメータを評価する重みに関する情報を含むことを特徴する請求項７記載の事業価値評価方法。
【発明の詳細な説明】
【技術分野】
【０００１】
本発明は、事業価値評価装置および事業価値評価方法に係り、特に、事業価値を評価する際のパラメータの影響を可視化して、事業価値を評価することをサポートするのに好適な事業価値評価装置および事業価値評価方法に関する。
【背景技術】
【０００２】
企業経営においては、事業価値を評価することは、経営戦略にとって重用な問題である。このような事業価値を評するに際しては、コンピュータを利用することが一般的になってきている。
【０００３】
特許文献１に記載の事業性評価装置においては、収支構造の決定と前提条件の入力を明確に分離し、前提条件を対話的に変更した際の経営指標の変化を可視化するために、前提条件及び計算過程に基づき評価項目の値を時系列で作成し、時系列で作成した評価項目の値を表示する。そして、前提条件をユーザが再度入力するのを受け付け、再度入力された前提条件及び計算過程に基づき評価項目の値を時系列で再度作成し、時系列で再度作成した評価項目の値を表示するようにしている。
【先行技術文献】
【特許文献】
【０００４】
【特許文献１】特開２０１５−３２０２３号公報
【発明の概要】
【発明が解決しようとする課題】
【０００５】
上記従来技術の特許文献１の事業価値の評価においては、前提条件を変化させた際の評価項目への影響を可視化することにより、前提条件の値の決定の一助にするようにしている。
【０００６】
この従来技術によれば、事業価値に関係するパラメータのうち、他のパラメータによる影響を受けないパラメータについては、変化させた際の評価項目への影響を可視化することが可能である。
【０００７】
しかしながら、階層的な従属関係があるパラメータのうち、階層の途中に存在するパラメータを変化させることは考慮されておらず、新事業検討時のように様々なシナリオで試行錯誤を行いたい際には不十分である可能性がある。
【０００８】
本発明の目的は、階層的な従属関係があるような、事業価値に関係するパラメータのうち、階層の途中に存在するパラメータを変化させた際の、他のパラメータへの影響をユーザが把握しやすい形で提示し、事業価値を評価することをサポートするような事業価値評価装置を提供することにある。
【課題を解決するための手段】
【０００９】
本発明の事業価値評価装置の構成は、好ましくは、事業価値に関連するパラメータ間の関係を算出する事業価値評価装置であって、パラメータ間の関係とパラメータ値を記憶するパラメータ情報テーブルを保持し、パラメータの制約条件を入力する手段と、値を変化させる対象のパラメータを変化対象パラメータとして設定する手段と、パラメータ情報テーブルを参照し、変化対象パラメータに影響を与えるパラメータのうち、変化対象パラメータから一意に値が定まらないパラメータを抽出する手段と、パラメータの制約条件を入力する手段により、パラメータの制約条件を入力されたときに、入力された制約条件に従って、変化対象パラメータから一意に値が定まらないパラメータの値を算出する手段とを有するようにしたものである。
【発明の効果】
【００１０】
本発明によれば、階層的な従属関係があるような、事業価値に関係するパラメータのうち、階層の途中に存在するパラメータを変化させた際の、他のパラメータへの影響をユーザが把握しやすい形で提示し、事業価値を評価することをサポートするような事業価値評価装置を提供することができる。
【図面の簡単な説明】
【００１１】
【図１】事業価値評価装置の機能構成を表すブロック図である。
【図２】事業価値評価装置のソフトウェア・ハードウェア構成を表すブロック図である。
【図３】事業価値評価装置の説明で用いるビジネスモデルを示すデータフローとステークホールダー（利害関係者）の関係を示す図である。
【図４】事業価値評価装置が参照するパラメータ情報テーブルの一例を示す図である。
【図５】パラメータ関係表示画面の一例を示す図である。
【図６】変換対象パラメータ設定画面の一例を示す図である。
【図７】実施形態１のパラメータ制約条件設定画面の一例を示す図である。
【図８】感度分析結果画面の一例を示した図である。
【図９】実施形態１の事業価値評価装置のパラメータ値算出処理の一例を示すフローチャートである。
【図１０】変換対象パラメータ／分析パラメータ設定画面の一例を示す図である。
【図１１】実施形態２のパラメータ制約条件設定画面の一例を示す図である。
【図１２】実施形態２の事業価値評価装置のパラメータ値算出処理の一例を示すフローチャートである。
【発明を実施するための形態】
【００１２】
以下、本発明に係る各実施形態を、図１ないし図１２を用いて説明する。
【００１３】
〔実施形態１〕
以下、本発明に係る実施形態１を、図１ないし図９を用いて説明する。
【００１４】
先ず、図１および図２を用いて事業価値評価装置の構成について説明する。
事業価値評価装置１００は、事業価値に関連する様々なパラメータの値を計算して、表示する装置であり、図１に示されるように、パラメータ関係設定部２０１、パラメータ値設定部２０２、パラメータ計算部２０３、分析パラメータ設定部２０４、変化対象パラメータ設定部２０５、パラメータ関係トレース部２０６、パラメータ制約条件設定部２０７、パラメータ情報入出力部２０８、記憶部２１０の各機能部を備える。
【００１５】
パラメータ関係設定部２０１は、複数のパラメータ間の関係を設定する機能部である。パラメータ値設定部２０２は、パラメータの値を設定する機能部である。パラメータ計算部２０３は、パラメータ関係設定部２０１によって設定されたパラメータ間の関係と、パラメータ値設定部２０２によって設定されたパラメータの値から、他のパラメータの値を計算する機能部である。分析パラメータ設定部２０４は、分析対象となるパラメータを設定する機能部である。変化対象パラメータ設定部２０５は、変化対象となるパラメータを設定する機能部である。変化対象パラメータとは、変化させる対象となるパラメータであり、分析パラメータは、その変化させたことより、その影響を分析されるパラメータである。パラメータ関係トレース部２０６は、パラメータ関係設定部２０１によって設定されたパラメータ間の関係から関連するパラメータをたどる機能部である。パラメータ制約条件設定部２０７は、パラメータを変化させる際の制約条件を設定する機能部である。パラメータ情報入出力部２０８は、パラメータに関係する情報の入力や出力をおこなう機能部である。記憶部２１０は、事業価値評価装置１００の取り扱うデータを記憶する機能部である。記憶部２１０には、パラメータ情報テーブル２１１が記憶されている。パラメータ情報テーブル２１１は、事業価値評価装置の取り扱うパラメータに関係する情報を保持するテーブルであり、そのデータは、パラメータ関係設定部２０１によって設定されるデータである。なお、パラメータ情報テーブル２１１の詳細は後に詳述する。
【００１６】
次に、図２を用いて事業価値評価装置のソフトウェア・ハードウェア構成について説明する。
事業価値評価装置１００のハードウェア構成としては、例えば、図２に示されるような一般的なパーソナルコンピュータなどの情報処理装置で実現される。
【００１７】
事業価値評価装置１００は、図２に示されように、ＣＰＵ（Central Processing Unit）１０２、主記憶装置１０４、ネットワークＩ／Ｆ１０６、表示Ｉ／Ｆ１０８、入出力Ｉ／Ｆ１１０、補助記憶装置Ｉ／Ｆ１１２が、バスにより結合された形態になっている。
【００１８】
ＣＰＵ１０２は、事業価値評価装置１００の各部を制御し、主記憶装置１０４に必要なプログラムをロードして実行する。
【００１９】
主記憶装置１０４は、通常、ＲＡＭ（Random Access Memory）などの揮発メモリで構成され、ＣＰＵ１０２が実行するプログラム、参照するデータが記憶される。
【００２０】
ネットワークＩ／Ｆ１０６は、ネットワークと接続するためのインタフェースである。
表示Ｉ／Ｆ１０８は、ＬＣＤ（Liquid Crystal Display）などの表示装置１２０を接続するためのインタフェースである。
入出力Ｉ／Ｆ１１０は、入出力装置を接続するためのインタフェースである。図２の例では、入力装置として、キーボード１３０とポインティングデバイスのマウス１３２が接続されている。
補助記憶装置Ｉ／Ｆ１１１は、ＨＤＤ（Hard Disk Drive）１５０やＳＳＤ（Solid State Drive）などの補助記憶装置を接続するためのインタフェースである。
【００２１】
ＨＤＤ１５０は、大容量の記憶容量を有しており、本実施形態を実行するためのプログラムが格納されている。本実施形態の事業価値評価装置１００には、パラメータ関係設定プログラム１５１、パラメータ値設定プログラム１５２、パラメータ計算プログラム１５３、分析パラメータ設定プログラム１５４、変化対象パラメータ設定プログラム１５５、パラメータ関係トレースプログラム１５６、パラメータ制約条件設定プログラム１５７、パラメータ情報入出力プログラム１５８がインストールされている。
【００２２】
パラメータ値設定プログラム１５２、パラメータ計算プログラム１５３、分析パラメータ設定プログラム１５４、変化対象パラメータ設定プログラム１５５、パラメータ関係トレースプログラム１５６、パラメータ制約条件設定プログラム１５７、パラメータ情報入出力プログラム１５８は、それぞれパラメータ関係設定部２０１、パラメータ値設定部２０２、パラメータ計算部２０３、分析パラメータ設定部２０４、変化対象パラメータ設定部２０５、パラメータ関係トレース部２０６、パラメータ制約条件設定部２０７、パラメータ情報入出力部２０８の機能を実行するプログラムである。
また、ＨＤＤ１５０には、データとして、パラメータ情報テーブル２１１が格納されている。
【００２３】
表示装置１２０は、事業価値評価装置１００と表示Ｉ／Ｆ２０８を介して接続され、パラメータに関する情報などを表示するために使用される装置である。
入力装置は、事業価値評価装置１００と入出力Ｉ／Ｆ１１０を介して接続され、パラメータに関する情報やコマンドを入力することができる。
【００２４】
ここでは、ユーザのために映像を表示する表示装置１０１と、ユーザが設定を入力する入力装置１０３は直接事業価値評価装置１００と接続されているが、ユーザのために画像を表示する表示装置１０１と、ユーザが設定を入力する入力装置は、別の装置に接続されており、当該装置がネットワークを介して事業価値評価装置１００と接続されていてもよい。
【００２５】
次に、図３を用いて本実施形態の事業価値評価装置の説明で用いるビジネスモデルについて説明する。
図３には、このビジネスモデルに関与するステークホルダー間の関係が示されている。ここでは、利用者の健康状態に応じて保険料が変動し、また、利用者の健康状態を改善するようなアドバイスと、アドバイス実施に向けたインセンティブを保険会社が利用者に提供する健康連動型保険におけるステークホルダー間の関係を示している。
【００２６】
利用者３０１は健康連動型保険サービスを利用する者であり、医療機関３０２から医療サービス３１１の提供を受け、保険会社３０３に保険料３１２を支払う。また、保険会社３０３から健康状態を改善するためのアドバイス、アドバイスに実施に向けたインセンティブ（報酬）、給付金３１３の提供を受け、デバイスメーカー３０４から医療機器３０５の提供を受け、デバイスメーカー３０４に活動状況３１４を報告する。ここで、活動状況３１４とは、提供している医療機器３１５の使用の有無や、その計測結果である。
【００２７】
医療機関３０２は、医療サービスを提供する事業者であり、利用者３０１（クライアント）に医療サービス３１１を提供し、保険会社３０３から受診料３１６の支払いを受け、分析会社３０５に受診情報３１９を提供し、分析会社３０５から利用者紹介３２０を受ける。
【００２８】
保険会社３０３は、健康連動型保険を提供する事業者であり、利用者３０１から保険料３１２の提供を受け、利用者３０１に健康状態を改善するためのアドバイス、アドバイスに実施に向けたインセンティブ、給付金３１３を提供し、医療機関３０２に受診料３１６を支払い、分析会社３０５に分析費３１７を支払い、分析会社３０５から利用者３０１の健康状態を改善するためのアドバイス、利用者３０１の健康状態に応じた保険金算出結果３１８の提供を受ける。
【００２９】
デバイスメーカー３０４は、利用者の生体情報を取得する医療機器の開発や販売を行う事業者であり、利用者３０１に医療機器３１５を提供し、利用者３０１から活動状況３１４の提供を受け、分析会社３０５に活動状況３２１を提供し、分析会社３０５から医療機器料金３２２の支払いを受ける。
【００３０】
分析会社３０５は、医療機関３０２の受診情報や医療機器３１５の計測データから、利用者の健康状態を分析する事業者である。分析会社３０５は、医療機関３０２から受診情報３１９の提供を受け、医療機関３０２に利用者紹介３２０を提供する。また、保険会社３０３から分析費３１７の提供を受け、保険会社３０３に利用者３０１の健康状態を改善するためのアドバイス、利用者３０１の健康状態に応じた保険金算出結果３１８を提供する。また、デバイスメーカー３０４から活動状況３２１の提供を受け、デバイスメーカー３０４に医療機器料金３２２を提供する。
【００３１】
次に、図４を用いて事業価値評価装置が参照するパラメータ情報テーブルの一例について説明する。
パラメータ情報テーブルは、事業価値評価装置１００が参照するパラメータに関する情報を保持するためのテーブルであり、図４に示されるように、パラメータ名４０１、パラメータ関係式４０２、関係パラメータ４０３、パラメータ値４０４、定義域４０５の各フィールドよりなる。
【００３２】
パラメータ名４０１には、パラメータを特定するための名称が格納される。パラメータ関係式４０２には、パラメータの値を計算するための式が格納され、他のパラメータから値が求められるパラメータでない場合は「―」が格納される。関係パラメータ４０３には、パラメータ関係式４０２に表れるパラメータであり、他のパラメータから値が求められるパラメータでない場合は「―」が記載される。パラメータ値４０４には、パラメータに設定された値が格納され、パラメータ関係式４０２にパラメータの値を計算するための式が記載されている場合は、パラメータ関係式４０２に記載された式と、関係パラメータ４０３に記載されたパラメータ値から計算される。例えば、行４１７においては、パラメータ名４０１が「原価（保険会社）」のパラメータ関係式４０２は、「契約者数」＊（「給付金」＊「罹患率」＋「分析費」＋「インセンティブ」）であり、関係パラメータ４０３は、「給付金，罹患率，契約者数，分析費」であり、パラメータ値４０４は「４６２」である。定義域４０５は、パラメータ名４０１のパラメータが取りうる範囲である。
【００３３】
パラメータ名４０１、パラメータ関係式４０２、関係パラメータ４０３、定義域４０５は、事前に設定しておく。
パラメータ値４０４は、パラメータ関係式４０２が「―」のパラメータについては事前に設定しておく。パラメータ関係式４０２が「―」でないパラメータについてはパラメータ関係式４０２と他のパラメータのパラメータ値４０４から計算される値が設定される。
【００３４】
次に、図５ないし図９を用いて事業価値評価装置の処理について説明する。
先ず、図５ないし図８を用いて事業価値評価装置の各ユーザインタフェース画面について説明する。
パラメータ関係表示画面５０１は、図５に示されるように、各パラメータの関係を視覚的に表した画面である。パラメータ関係表示画面５０１の矢印の先に位置するパラメータは、矢印の根元に位置するパラメータから算出されることを示している。
【００３５】
この例では、インセンティブ５１１は、契約者数５１５、罹患率５１６、原価（保険会社）５１７に影響を与えることを示している。また、給付金５１２は、原価（保険会社）５１７に影響を与えることを示している。また、分析費５１３は、罹患率５１６、原価（保険会社）５１７、売上（分析会社）５２１に影響を与えることを示している。また、保険料５１４は、売上（保険会社）５１８に影響を与えることを示している。また、契約者数５１５は、原価（保険会社）５１７、売上（保険会社）５１８に影響を与えることを示している。また、罹患率５１６は、原価（保険会社）５１７に影響を与えることを示している。また、原価（保険会社）５１７は利益（保険会社）５１９に影響を与えることを示している。また、売上（保険会社）５１８は、利益（保険会社）５１９に影響を与えることを示している。また、原価（分析会社）５２０は、利益（分析会社）５２２に影響を与えることを示している。また、売上（分析会社）５２１は、利益（分析会社）５２２に影響を与えることを示している。
【００３６】
変化対象パラメータ設定画面６０１は、図６に示されるように、変化対象パラメータをユーザが設定するための画面であり、パラメータ関係図領域６０２、変化対象パラメータ選択リストボックス６０３を備える。
変化対象パラメータ選択リストボックス６０３は、変化対象パラメータを設定するエリアである。
【００３７】
図６（ｂ）の変化対象パラメータ設定画面６０１は、変化対象パラメータとして「罹患率」を設定した際の変化対象パラメータ設定画面６０１である。
ここで、変化対象パラメータとは、ユーザが変化させる対象として明示的に指定するパラメータである。
【００３８】
変化対象パラメータ設定画面６０１においては、パラメータ値の計算の処理（図９により後述）の時点で、変化対象パラメータ選択リストボックス６０３に設定された変化対象パラメータに影響を与えるパラメータであり、かつ、変化対象パラメータ選択リストボックス６０３に設定された変化対象パラメータの値から一意に値が決まらないパラメータがハイライト表示される。
【００３９】
ここでは、そのようなパラメータをハイライト表示したが、パラメータを表すボックスの縁取りを太くする、パラメータを表すボックスの色を他のパラメータを表すボックスと変える、パラメータを表すボックスをブリンクさせる、パラメータ名の文字の色を変える、パラメータ名の書体を変えるなど他の強調表示でもよい。
【００４０】
図６（ｂ）の例では、変化対象パラメータである「罹患率」に影響を与えるパラメータであり、かつ、変化対象パラメータである「罹患率」の値から一意に値が決まらない（すなわち、値が未解決の）パラメータは「インセンティブ」と「分析費」であるので、これらのパラメータがハイライトされている。
【００４１】
パラメータ制約条件設定画面７０１は、図７に示されるように、対象とするパラメータの制約条件を設定する画面である。
パラメータ制約条件設定画面７０１は、パラメータ関係図領域７０２、パラメータ制約条件設定領域７０３からなる。
【００４２】
パラメータ関係図領域７０２は、パラメータの関係を表示する領域であり、パラメータ制約条件設定領域７０３は、パラメータ制約条件をユーザが設定するための領域である。
【００４３】
パラメータ制約条件設定領域７０３は、対象パラメータ入力欄７０４と、パラメータ制約条件入力欄７０５を備える。
【００４４】
対象パラメータ入力欄７０４は、制約条件を設定するパラメータのパラメータ名を設定するエリアである。
【００４５】
パラメータ制約条件入力欄７０５は、対象パラメータ入力欄７０４で設定したパラメータの制約条件を設定するエリアである。
【００４６】
図７（ｂ）のパラメータ制約条件設定画面７０１は、制約条件を設定するパラメータとして「分析費」、制約条件として「最小化」を設定した際のパラメータ制約条件設定画面である。
【００４７】
パラメータ制約条件設定画面７０１においては、パラメータ制約条件設定領域７０３に設定されたパラメータ制約条件に従うと、図６の変化対象パラメータ設定画面７０１で設定された変化対象パラメータの値から一意に値が決まるパラメータのハイライトがある場合に、それを消去する。
【００４８】
図７（ｂ）に示されるように、「分析費」の制約条件を「最小化」とした場合、変化対象パラメータである「罹患率」の値から、「インセンティブ」と「分析費」の値が一意に決まるため、これらのパラメータのハイライトが消去されている。
なお、制約条件としては、「最小化」のほか、「最大化」や定義域の「中間値」、あるいは、固定の数値を入力するようにしてもよい。
【００４９】
感度分析結果画面８０１は、図８に示されるようにあるパラメータを変化させたときに、他のパラメータの変化を表示する画面である。
図８に示された感度分析結果画面８０１は、変化対象パラメータとして、「罹患率」を選択して、分析パラメータとして「利益（保険会社）、「利益（分析会社）を選択した際の感度分析結果を表示する画面であり、それぞれグラフ８０２、グラフ８０３によりその結果を表示している。
【００５０】
ここで、分析パラメータとしては、変化対象パラメータの値から一意に値が決まるパラメータを選択可能とする。
【００５１】
グラフ８０２は、「罹患率」の変化による「利益（保険会社）」がどのように変化するのかを示す感度分析結果であり、「罹患率」を現状の設定から１０％まで増加させた場合と、１０％まで減少させた場合の「利益（保険会社）」の変化を図示したものである。
【００５２】
また、グラフ８０３は、「罹患率」の変化による「利益（分析会社）」がどのように変化するのかを示す感度分析結果であり、「罹患率」を現状の設定から１０％まで増加させた場合と、１０％まで減少させた場合の「利益（分析会社）」の変化を図示したものである。
このような形で表示することにより、あるパラメータを変化させた際の、他のパラメータへの影響をユーザが視覚的に把握しやすくなる。
【００５３】
次に、図９を用いて事業価値評価装置のパラメータ値算出処理について説明する。
先ず、ユーザは、図６に示した変化対象パラメータ設定画面７０１により、変化対象パラメータを設定する（Ｓ９００）。
【００５４】
次に、分析パラメータが変化対象パラメータから直接導かれるか否かを判定する（Ｓ９０１）。
分析パラメータが変化対象パラメータから直接導かれるときには（Ｓ９０１：Ｙｅｓ）、処理を終了する。
分析パラメータが変化対象パラメータから直接導かれないときには（Ｓ９０１：Ｎｏ）、Ｓ９０２に進む。
【００５５】
次に、事業価値評価装置１００のパラメータ関係トレース部２０６が、図４に示したパラメータ情報テーブル２１１を参照して、ユーザにより設定された変化対象パラメータに影響を与えるパラメータを抽出する（Ｓ９０２）。
【００５６】
次に、事業価値評価装置１００のパラメータ計算部２０３が、Ｓ９０１で抽出されたパラメータのうち、変化対象パラメータの値から一意に値が決まらないパラメータを抽出する（Ｓ９０３）。例えば、変化対象パラメータとこれに影響を与えるパラメータの関係が１対１対応の場合は、変化対象パラメータの値からこれに影響を与えるパラメータの値は一意に決まる。一方、例えば、変化対象パラメータに影響を与えるパラメータが複数存在する場合は、変化対象パラメータの値からこれに影響を与えるパラメータの値は一意に決まらない。
【００５７】
次に、事業価値評価装置１００のパラメータ計算部２０３が、Ｓ９０２で抽出された変化対象パラメータの値から一意に値が決まらないパラメータを図７に示したパラメータ関係表示画面８０１においてハイライト表示する（Ｓ９０４）。
【００５８】
次に、事業価値評価装置１００のパラメータ計算部２０３とパラメータ制約条件設定部２０７が、変化対象パラメータの値から一意に値が決まらないパラメータが無くなるまでＳ９０６、Ｓ９０７、Ｓ９０８、Ｓ９０９を行う（Ｓ９０５−Ｓ９１０)。
【００５９】
次に、事業価値評価装置１００のパラメータ計算部２０３が、パラメータ制約条件設定画面８１０のパラメータ制約条件入力欄８０５からユーザからの制約条件の入力が終了したか否かを判定する（Ｓ９０６）。
【００６０】
業価値評価装置１００のパラメータ計算部２０３が、パラメータ制約条件設定画面８１０のパラメータ制約条件入力欄８０５からユーザからの制約条件の入力が終了したときには（Ｓ９０６：Ｙｅｓ）、処理を終了する。
【００６１】
業価値評価装置１００のパラメータ計算部２０３が、パラメータ制約条件設定画面８１０のパラメータ制約条件入力欄８０５からユーザからの制約条件の入力がしていないときには（Ｓ９０６：Ｎｏ）、Ｓ９０７の処理に進む。
【００６２】
Ｓ９０６がＮｏのとき、事業価値評価装置１００のパラメータ制約条件設定部２０７が、ユーザからパラメータを変化させる際の制約条件を受け付ける（Ｓ９０７）。ここでの制約条件とは、例えば、パラメータの値を固定する、パラメータの値を最大化する、パラメータの値を最小化するなどである。
【００６３】
次に、事業価値評価装置１００のパラメータ計算部２０３が、Ｓ９０６で受け付けた制約条件に従ってパラメータの値を算出する（Ｓ９０８）。パラメータの値の算出においては、最適化問題の解法など既存の手法を使用する。
【００６４】
次に、事業価値評価装置１００のパラメータ計算部２０３が、Ｓ９０７において変化対象パラメータの値から一意に値が決まらないパラメータをパラメータ関係表示画面においてハイライト表示する（Ｓ９０９）。
【００６５】
例えば、変化対象パラメータとして罹患率５１６を選択した場合、Ｓ９０１で、罹患率５１６に影響を与えるパラメータとして、インセンティブ５１１、分析費５１３が抽出される。
次に、罹患率５１６の値からインセンティブ５１１、分析費５１３の値は、一意に決まらないため、Ｓ９０３で、インセンティブ５１１、分析費５１３が抽出される。
次に、Ｓ９０３で抽出されたインセンティブ５１１、分析費５１３を、Ｓ９０３でパラメータ関係表示画面５０１においてハイライト表示する。
次に、Ｓ９０５−Ｓ９１０で繰り返し処理を行う。
【００６６】
次に、Ｓ９０６でユーザからの制約条件の入力終了の受け付けを判定する。ここでは、ユーザからの制約条件の入力終了を受け付けなかったとする。
次に、Ｓ９０７でパラメータを変化させる際の制約条件を受け付ける。ここでは、分析費５１３の値を固定するという制約条件を与えたとする。
次に、Ｓ９０８で受け付けた制約条件に従ってパラメータの値を算出する。分析費５１３の値を固定した場合、罹患率５１６の値から、インセンティブ５１１、分析費５１３の値が一意に算出される。
【００６７】
次に、インセンティブ５１１、分析費５１３の値が一意に算出されるので、Ｓ９０９でパラメータ関係表示画面５０１でのインセンティブ５１１、分析費５１３のハイライトを消去する。
【００６８】
次に、変化対象パラメータである罹患率５１６の値から一意に値が決まらないパラメータが無くなったので、Ｓ９０５−Ｓ９１０の繰り返し処理を終了し、処理を終了する。
なお、本実施形態においては、変化対象パラメータの値から一意に値が決まらないパラメータを、パラメータ関係表示画面５０１においてハイライトしているが、図４のパラメータ情報テーブルのような表形式として表示して、対象行をハイライトしてもよい。
【００６９】
以上の本実施形態の事業価値評価装置によれば、ユーザが変化対象パラメータを指定し、それに関してパラメータの値が一意に決まらないパラメータをハイライト表示するため、問題となっているパラメータを視覚的に把握しやすく、ユーザは、トライアルアンドエラーにより、適切なパラメータの制約条件を指定することができる。
【００７０】
〔実施形態２〕
以下、本発明に係る実施形態２を、図１０ないし図１２を用いて説明する。
実施形態１では、変化対象パラメータの値から一意に値が定まらないパラメータがある場合に、そのパラメータに関して制約条件をユーザが入力することにより、最終的に、分析パラメータの値を算出する事業価値評価装置について説明した。
【００７１】
本実施形態では、ユーザにより設定された分析パラメータに影響を与えるパラメータと、変化対象パラメータの値から一意に値が決まらないような変化対象パラメータに影響を与えるパラメータとに重複がある場合について、分析パラメータの値を算出する事業価値評価装置について説明する。
【００７２】
本実施形態は、このような場合、実施形態１の手法では、重複するパラメータについての制約条件を与えるは、難しいので別の指標により、制約条件を与えようとするものである。
本実施形態では、実施形態１の事業価値評価装置１００と異なる所を中心に説明する。
【００７３】
先ず、図１０および図１１を用いて事業価値評価装置の各ユーザインタフェース画面について説明する。
変換対象パラメータ／分析パラメータ設定画面１００１は、変化対象パラメータと分析パラメータをユーザが設定するための画面であり、パラメータ関係図領域１００２、変化対象パラメータ選択リストボックス１００３、分析パラメータ入力欄１００４を備える。
変化対象パラメータ選択リストボックス１００３は、変化対象パラメータを設定するエリアである。
分析パラメータ入力欄１００４は、分析パラメータを設定するエリアである。
【００７４】
図１０（ｂ）に示される変換対象パラメータ／分析パラメータ設定画面１００１は、変化対象パラメータとして「罹患率」、分析パラメータとして「利益（分析会社）」を設定した際の変化対象パラメータと分析パラメータの設定画面である。
【００７５】
変化対象パラメータ／分析パラメータの設定画面１００１においては、分析パラメータ入力欄１００４に設定された分析パラメータに影響を与えるパラメータであり、かつ、変化対象パラメータ選択リストボックス１００３に設定された変化対象パラメータに影響を与えるパラメータであり、かつ、変化対象パラメータ選択リストボックス１００３に設定された変化対象パラメータの値から一意に値が決まらないパラメータがハイライトされる。
【００７６】
この例では、分析パラメータである「利益（分析会社）」に影響を与えるパラメータであり、かつ、変化対象パラメータである「罹患率」に影響を与えるパラメータであり、かつ、変化対象パラメータである「罹患率」の値から一意に値が決まらないパラメータは「インセンティブ」と「分析費」であるので、これらのパラメータがハイライト表示されている。
【００７７】
パラメータ制約条件設定画面１１０１は、図１１に示されるように、事業価値評価装置の各パラメータ制約条件を設定する画面である。
図１１に示されたパラメータ制約条件設定画面１１０１は、変化対象パラメータとして「罹患率」、分析パラメータとして「利益（分析会社）」を設定した際のパラメータ制約条件設定画面であり、インセンティブパラメータグラフ１１０２、分析費パラメータグラフ１１０３を備える。
【００７８】
インセンティブパラメータグラフ１１０２は、インセンティブの取り得る値とそれに対する重みｗの関係を示したものであり、ユーザの設定結果を表示している。
ここでは、現在値が最も重みｗが大きく、値の増減に対してなだらかに重みｗが減少するような関係が設定されている。これはインセンティブが比較的変化しやすいような設定がなされていることを示している。
【００７９】
重みｗは、事業価値評価装置の評価モデルに見合ったものを用いる。例えば、パラメータの取りうる統計情報が利用できる場合には、そのパラメータの取りうる尤度（もっともらしさ）にすることができる。図１１に示された例では、パラメータの「罹患率」、「利益（分析会社）」の重みｗが大きい所は、そのパラメータが取りうる可能性が一番大きな所を評価するという意義を有する。
【００８０】
分析費パラメータグラフ１１０３は、分析費の取り得る値とその重みｗの関係を示したものであり、ユーザの設定結果を表示している。
ここでは、現在値が最も重みｗが大きく、値の増減に対して急峻に重みｗが減少するような関係が設定されている。これは分析費が比較的変化しづらいような設定がなされていることを示している。
【００８１】
ここで設定されたパラメータ制約条件に従って、変化対象パラメータである「罹患率」の値から、分析パラメータである「利益（分析会社）」の値を求め、実施形態１の図８に示したような感度分析結果画面９０１を表示する。
【００８２】
次に、図１２を用いて実施形態２の事業価値評価装置のパラメータ値算出処理の一例を説明する。
先ず、図１０に示した変化対象パラメータ／分析パラメータ設定画面１０１より、変化対象パラメータと分析パラメータを設定する（Ｓ１２００）。
【００８３】
次に、分析パラメータが変化対象パラメータから直接導かれるか否かを判定する（Ｓ１２０１）。
分析パラメータが変化対象パラメータから直接導かれるときには（Ｓ１２０１：Ｙｅｓ）、処理を終了する。
分析パラメータが変化対象パラメータから直接導かれないときには（Ｓ１２０１：Ｎｏ）、Ｓ１２０２に進む。
【００８４】
次に、事業価値評価装置１００のパラメータ関係トレース部２０６が、図４に示されたパラメータ情報テーブル２１１を参照して、ユーザにより設定された分析パラメータに影響を与えるパラメータを抽出する（Ｓ１２０２）。
【００８５】
次に、事業価値評価装置１００のパラメータ関係トレース部２０６が、パラメータ情報テーブル２１１を参照して、ユーザにより設定された変化対象パラメータに影響を与えるパラメータを抽出する（Ｓ１２０３）。
【００８６】
次に、事業価値評価装置１００のパラメータ計算部２０３が、Ｓ１２０２で抽出されたパラメータのうち、変化対象パラメータの値から一意に値が決まらないパラメータを抽出する（Ｓ１２０４）。
【００８７】
次に、事業価値評価装置１００のパラメータ計算部２０３が、Ｓ１２０１で抽出されたユーザにより設定された分析パラメータに影響を与えるパラメータと、Ｓ１２０３で抽出された変化対象パラメータの値から一意に値が決まらないような、変化対象パラメータに影響を与えるパラメータとに重複があるか否かを確認する（Ｓ１２０５）。
【００８８】
それらのパラメータに重複がある場合には（Ｓ１２０５：Ｙｅｓ）、Ｓ１２０６に進む。
この際、重複するパラメータを図５に示したパラメータ関係表示画面５０１においてハイライト表示する。
それらのパラメータに重複がない場合には（Ｓ１２０５：Ｎｏ）、ユーザにより設定された分析パラメータとユーザにより設定された変化対象パラメータは無関係であるということなので、実施形態１の図９のＳ９０４〜Ｓ９０９を実行する（Ｓ１２２０）。
【００８９】
次に、事業価値評価装置１００のパラメータ関係トレース部２０６が、Ｓ１２０５で抽出された重複するパラメータのうち、パラメータ関係表示画面５０１において末端で存在するようなパラメータ、すなわち、他のパラメータによる影響を受けないパラメータを抽出する（Ｓ１２０６）。
そして、事業価値評価装置１００のパラメータ制約条件設定部２０７が、Ｓ１２０６で抽出されたパラメータ分だけＳ１２０８を行う（Ｓ１２０７−Ｓ１２０９）。
【００９０】
次に、事業価値評価装置１００のパラメータ制約条件設定部２０７が、パラメータの値とそのパラメータの重みの関係の設定をユーザから受け付ける（Ｓ１２０８）。ここでは、パラメータの取り得る値と、その値を取る際の重みをユーザから受け付ける。設定は数式や、図１１で示したようなグラフ形状の入力により行う。
【００９１】
次に事業価値評価装置１００のパラメータ計算部２０３が、Ｓ１２１０で受け付けたパラメータの値と重みの関係に従って、パラメータの値を決定する（Ｓ１２１０）。パラメータの値の算出においては、最適化問題の解法など既存の手法を使用する。
【００９２】
次に、事業価値評価装置１００のパラメータ計算部２０３が、Ｓ１２０９で値が決定されたパラメータが影響するパラメータの値を決定する（Ｓ１２１１）。これにより、変化対象となるパラメータの値を変化させた際の、分析対象となるパラメータへの影響を求めることができる。
【００９３】
例えば、分析パラメータとして、利益（分析会社）５２２を選択した場合、Ｓ１２０３で、利益（分析会社）５２２に影響を与えるパラメータとして、インセンティブ５１１、分析費５１３、契約者数５１５、原価（分析会社）５２０、売上（分析会社）５２１が抽出される。
【００９４】
次に、変化対象パラメータとして、罹患率５１６を選択した場合、Ｓ１２０４で、罹患率５１６に影響を与えるパラメータとしてインセンティブ５１１、分析費５１３が抽出される。
【００９５】
次に、罹患率５１６の値からインセンティブ５１１、分析費５１３の値は一意に決まらないため、Ｓ１２０５でインセンティブ５１１、分析費５１３が抽出される。
【００９６】
次に、Ｓ１２０５で、Ｓ１２０４で抽出されたパラメータであるインセンティブ５１１、分析費５１３、契約者数５１５、原価（分析会社）５２０、売上（分析会社）５２１と、Ｓ１２０３で抽出されたパラメータであるインセンティブ５１１、分析費５１３には重複が存在することが確認されるので、Ｓ１２０６に進む。
この際、重複するパラメータはインセンティブ５１１、分析費５１３であるので、インセンティブ５１１、分析費５１３をパラメータ関係表示画面５０１においてハイライトする。
【００９７】
次に、重複するパラメータであるインセンティブ５１１、分析費５１３は双方とも末端のパラメータであるため、Ｓ１２０６でインセンティブ５１１、分析費５１３を抽出する。
次に、Ｓ１２０７−Ｓ１２０９で、Ｓ１２０６で抽出されたパラメータであるインセンティブ５１１、分析費５１３について繰り返し処理を行う。
【００９８】
Ｓ１２０８で、パラメータの値とそのパラメータの重みの関係の入力を受け付ける。ここでは、インセンティブに関する重みｗ（インセンティブ）と、分析費に関する重みｗ（分析費）を共に最大にするような関係が入力されたとする。
インセンティブ５１１、分析費５１３について、パラメータの値とそのパラメータの重みの関係の入力を受け付けたら、繰り返し処理を終了し、Ｓ１２１０に進む。
【００９９】
次に、Ｓ１２１０で、Ｓ１２０８において入力されたインセンティブ５１１と分析費５１３についての値とパラメータの重みの関係に従い、変化対象パラメータである罹患率５１６の値からインセンティブ５１１と分析費５１３の値を決定する。
次に、Ｓ１２１１で、Ｓ１２１０において決定されたインセンティブ５１１と分析費５１３の値から、分析パラメータである利益（分析会社）５２２の値を決定する。
【０１００】
なお、本実施形態においては、制約条件を与えるパラメータは二つであるが、これが三つ以上になってもよい。また、分析パラメータは一つのみを設定しているが、二つ以上設定してもよい。分析パラメータを二つ以上設定する際には、各分析パラメータについて図１２に示したパラメータの値を決定する処理を行い、設定された制約条件に従って各分析パラメータの値を求める。
【０１０１】
本実施形態では、ユーザにより設定された分析パラメータに影響を与えるパラメータと、変化対象パラメータの値から一意に値が決まらないような変化対象パラメータに影響を与えるパラメータとに重複がある場合についても、そのパラメータに関する重みの関係式を評価することにより、そのようなパラメータに値を与えて、分析パラメータの値を求めることができる。
【図１】
2019096034.tif 000003
【図２】
2019096034.tif 000004
【図３】
2019096034.tif 000005
【図４】
2019096034.tif 000006
【図５】
2019096034.tif 000007
【図６】
2019096034.tif 000008
【図７】
2019096034.tif 000009
【図８】
2019096034.tif 000010
【図９】
2019096034.tif 000011
【図１０】
2019096034.tif 000012
【図１１】
2019096034.tif 000013
【図１２】
2019096034.tif 000014